(57)【要約】【課題】広告実績に応じた広告の対価を算出すること。【解決手段】広告システムは、広告出力装置（２００）と、広告出力装置と通信可能な広告配信装置（１００）とを含み、広告配信装置は、広告情報を記憶する広告記憶部（１３１）と、広告情報を広告出力装置に送信する広告送信部（１１１）と、広告情報が広告出力装置で出力された出力量を広告出力装置から受信する出力量受信部（１１２）と、広告情報の出力量に基づき、広告情報の出力の対価を算出する対価算出部（１１３）とを備え、広告出力装置は、広告配信装置と通信するための通信部（２６０）と、広告情報を受信するよう通信部を制御する広告受信部（２１１）と、広告情報を出力する広告出力部（２１２）と、広告情報の出力量を検出する出力量検出部（２１３）と、広告情報の出力量を送信するよう通信部を制御する出力量送信部（２１４）とを備える。【選択図】　　　　図３
2004118536.tif 000002
【特許請求の範囲】
【請求項１】
広告出力装置と、前記広告出力装置と通信可能な広告配信装置とを含む広告システムであって、
前記広告配信装置は、
広告情報を記憶する広告記憶手段と、
前記記憶された広告情報を前記広告出力装置に送信する広告送信手段と、
前記送信された広告情報が前記広告出力装置で出力された出力量を前記広告出力装置から受信する出力量受信手段と、
前記受信された広告情報の出力量に基づき、前記広告情報の出力の対価を算出する対価算出手段とを備え、
前記広告出力装置は、
前記広告配信装置と通信するための通信手段と、
前記広告情報を受信するよう前記通信手段を制御する広告受信手段と、
前記受信された広告情報を出力する広告出力手段と、
前記出力された広告情報の出力量を検出する出力量検出手段と、
前記検出された広告情報の出力量を送信するよう前記通信手段を制御する出力量送信手段とを備えた、広告システム。
【請求項２】
前記広告記憶手段は、前記広告情報を出力する広告出力範囲をさらに記憶し、
前記広告配信装置は、
前記広告出力装置の位置情報を前記広告出力装置から受信する位置情報受信手段と、
前記受信された位置情報を広告出力範囲とする広告情報を前記広告記憶手段から抽出する広告抽出手段とをさらに備え、
前記広告出力装置は、移動体に設置され、
位置情報を取得する位置情報取得手段と、
前記取得された位置情報を送信するよう前記通信手段を制御する位置情報送信手段とをさらに備えた、請求項１に記載の広告システム。
【請求項３】
前記広告抽出手段は、前記広告出力範囲をさらに抽出し、
前記広告送信手段は、前記抽出された広告出力範囲をさらに送信し、
前記広告受信手段は、前記広告出力範囲をさらに受信するよう前記通信手段を制御し、
前記広告出力手段は、前記取得された位置情報が前記受信された広告出力範囲にある間、前記広告情報を出力する、請求項２に記載の広告システム。
【請求項４】
前記広告出力装置は、複数あり、
前記対価算出手段は、前記広告情報の出力の対価を前記広告出力装置ごとに算出する、請求項１に記載の広告システム。
【請求項５】
前記広告出力手段は、前記受信された広告情報が複数ある場合は、前記受信された複数の広告情報を所定の時間間隔で出力し、
前記対価算出手段は、前記広告情報の出力量に基づき、前記広告情報の出力の対価を前記広告情報ごとに算出する、請求項１に記載の広告システム。
【請求項６】
前記広告出力装置は、表示装置であり、
前記出力量検出手段は、前記広告情報の表示時間を検出する、請求項１に記載の広告システム。
【請求項７】
前記広告出力装置は、印刷装置であり、
前記出力量検出手段は、前記広告情報の印刷枚数を検出する、請求項１に記載の広告システム。
【請求項８】
前記広告出力装置の通信手段は、携帯電話端末または自動車電話端末である、請求項１に記載の広告システム。
【請求項９】
広告出力装置と通信可能な広告配信装置であって、
広告情報を記憶する広告記憶手段と、
前記記憶された広告情報を前記広告出力装置に送信する広告送信手段と、
前記送信された広告情報が前記広告出力装置で出力された出力量を前記広告出力装置から受信する出力量受信手段と、
前記受信された広告情報の出力量に基づき、前記広告情報の出力の対価を算出する対価算出手段とを備えた、広告配信装置。
【請求項１０】
広告情報を記憶する広告記憶手段を有し、広告出力装置と通信可能な広告配信装置で広告を配信する広告配信方法であって、
前記記憶された広告情報を前記広告出力装置に送信するステップと、
前記送信された広告情報が前記広告出力装置で出力された出力量を前記広告出力装置から受信するステップと、
前記受信された広告情報の出力量に基づき、前記広告情報の出力の対価を算出するステップとを含む、広告配信方法。
【請求項１１】
広告情報を記憶する広告記憶手段を有し、広告出力装置と通信可能な広告配信装置で実行される広告配信プログラムであって、
前記記憶された広告情報を前記広告出力装置に送信するステップと、
前記送信された広告情報が前記広告出力装置で出力された出力量を前記広告出力装置から受信するステップと、
前記受信された広告情報の出力量に基づき、前記広告情報の出力の対価を算出するステップとを前記広告配信装置に実行させる、広告配信プログラム。
【請求項１２】
請求項１１に記載の広告配信プログラムを記録したコンピュータ読取可能な記録媒体。
【発明の詳細な説明】
【０００１】
【発明の属する技術分野】
本発明は、広告システム、広告配信装置、広告配信方法、広告配信プログラム、および、広告配信プログラムを記録したコンピュータ読取可能な記録媒体に関し、特に、広告対価を決定するのに適した広告システム、広告配信装置、広告配信方法、広告配信プログラム、および、広告配信プログラムを記録したコンピュータ読取可能な記録媒体に関する。
【０００２】
【従来の技術】
従来、テレビや新聞や雑誌や看板などの媒体を用いた広告形態が一般的であった。特に、バスや電車などの公共交通機関の車内においては、広告情報を印刷した紙を吊下げた形態が多い。近年、広告情報を印刷した紙を吊下げた広告形態に加えて、電光掲示板を用いた広告形態が目に付くようになってきた。電光掲示板を用いた広告形態の場合、予め広告情報を電光掲示板に記憶させておき、その広告情報を順次切替えながら表示させている。電光掲示板を用いた広告形態の場合、複数の広告情報を表示できるので、複数の広告依頼者から対価を得ることができる。
【０００３】
しかしながら、従来の電光掲示板による広告方法の場合、広告データを予め記憶させておかなければならないため、新鮮な情報を表示させることができないといった問題があった。
【０００４】
この問題点を解決するシステムとして、たとえば、特開平９−２４４５６６号公報に開示されている移動体広告システムがある。この移動体広告システムによれば、店舗から現時点の店舗の広告情報データが受信され、メモリに記憶される。そして、衛星のデータがＧＰＳ（Ｇｌｏｂａｌ　Ｐｏｓｉｔｉｏｎｉｎｇ　Ｓｙｓｔｅｍ）受信回路で受信され、認識された移動体の位置に近い店舗の広告情報がメモリから読出され移動体に設置された映像表示装置とスピーカとに出力される。このため、各店舗が随時、売出し情報を送信し、移動体がその店舗に近づいた時に車内広告を流すので、集客効果を向上させることができる。
【０００５】
【特許文献１】
特開平９−２４４５６６号公報
【０００６】
【発明が解決しようとする課題】
しかしながら、バスや電車などの移動体の運行状況の影響により、本来、広告依頼者である店舗の広告が表示されるべき区間にその広告が表示されなかったり、その広告が表示される時間が短くなったりすることがある。すなわち、バスが渋滞などによりある区間に長く留まった場合、その区間の店舗の広告の出力が長くなり、バスがスムーズにある区間を通過した場合、その区間の店舗の広告の出力が短くなることがある。このような場合に、店舗側は、広告が実際にどれぐらいの時間表示されたのかを知る方法がない。
【０００７】
このため、店舗側は、広告が表示されている時間に関わらず、所定の対価を広告表示側に支払わなければならず、広告が多く表示された店舗と広告がほとんど表示されなかった店舗との間で不公平が生じるといった問題がある。
【０００８】
この発明は上述の問題点を解決するためになされたもので、この発明の目的の１つは、広告実績に応じた広告の対価を算出することが可能な広告システム、広告配信装置、広告配信方法、広告配信プログラム、および、広告配信プログラムを記録したコンピュータ読取可能な記録媒体を提供することである。
【０００９】
【課題を解決するための手段】
上述の目的を達成するために、この発明のある局面によれば、広告システムは、広告出力装置と、広告出力装置と通信可能な広告配信装置とを含み、広告配信装置は、広告情報を記憶する広告記憶手段と、記憶された広告情報を広告出力装置に送信する広告送信手段と、送信された広告情報が広告出力装置で出力された出力量を広告出力装置から受信する出力量受信手段と、受信された広告情報の出力量に基づき、広告情報の出力の対価を算出する対価算出手段とを備え、広告出力装置は、広告配信装置と通信するための通信手段と、広告情報を受信するよう通信手段を制御する広告受信手段と、受信された広告情報を出力する広告出力手段と、出力された広告情報の出力量を検出する出力量検出手段と、検出された広告情報の出力量を送信するよう通信手段を制御する出力量送信手段とを備える。
【００１０】
この発明に従えば、広告出力装置により、広告配信装置から受信された広告情報が出力され、出力された広告情報の出力量が検出されて、広告配信装置に送信される。そして、広告配信装置により、広告出力装置から受信された広告情報の出力量に基づき、広告情報の出力の対価が算出される。このため、実際に出力された広告情報の出力量に基づき、広告情報の出力の対価が決定される。その結果、広告実績に応じた広告の対価を算出することが可能な広告システムを提供することができる。
【００１１】
好ましくは、広告記憶手段は、広告情報を出力する広告出力範囲をさらに記憶し、広告配信装置は、広告出力装置の位置情報を広告出力装置から受信する位置情報受信手段と、受信された位置情報を広告出力範囲とする広告情報を広告記憶手段から抽出する広告抽出手段とをさらに備え、広告出力装置は、移動体に設置され、位置情報を取得する位置情報取得手段と、取得された位置情報を送信するよう通信手段を制御する位置情報送信手段とをさらに備える。
【００１２】
この発明に従えば、広告配信装置により、広告出力装置から受信された位置情報を広告出力範囲とする広告情報が抽出され、広告出力装置に送信される。このため、移動体が広告出力範囲にあるときに、その位置情報を広告出力範囲とする広告情報が広告出力装置から出力されるので、タイムリーに広告を出力することができる。
【００１３】
さらに好ましくは、広告抽出手段は、広告出力範囲をさらに抽出し、広告送信手段は、抽出された広告出力範囲をさらに送信し、広告受信手段は、広告出力範囲をさらに受信するよう通信手段を制御し、広告出力手段は、取得された位置情報が受信された広告出力範囲にある間、その広告情報を出力する。
【００１４】
この発明に従えば、広告配信装置により、広告出力装置から受信された位置情報を広告出力範囲とする広告情報と広告出力範囲とが抽出され、広告出力装置に送信される。そして、広告出力装置により、取得された位置情報が広告配信装置から受信された広告出力範囲にある間、広告情報が出力される。このため、移動体が広告出力範囲にある間、広告情報が広告出力装置から出力されるので、タイムリーに広告を出力することができる。
【００１５】
好ましくは、広告出力装置は、複数あり、支払対価算出手段は、広告情報の出力の対価を広告出力装置ごとに算出する。
【００１６】
この発明に従えば、複数の広告出力装置から受信された広告情報の出力量に基づき、広告情報の出力の対価が広告出力装置ごとに算出される。その結果、広告出力装置ごとに出力量に応じた広告の対価を算出することができる。
【００１７】
好ましくは、広告出力手段は、受信された広告情報が複数ある場合は、受信された複数の広告情報を所定の時間間隔で出力し、出力量検出手段は、出力される広告情報の出力量を広告情報ごとに検出し、対価算出手段は、広告情報の出力量に基づき、広告情報の出力の対価を広告情報ごとに算出する。
【００１８】
この発明に従えば、広告出力装置により、受信された広告情報が複数ある場合は、それらの広告情報が所定の時間間隔で出力される。そして、広告配信装置により、広告情報の出力量に基づき、広告情報の出力の対価が広告情報ごとに算出される。その結果、受信された広告情報が複数であっても、広告情報が順次出力され、広告情報ごとに出力量に応じた広告の対価を算出することができる。
【００１９】
好ましくは、広告出力装置は、表示装置であり、出力量検出手段は、広告情報の表示時間を検出する。
【００２０】
この発明に従えば、広告出力装置により、広告配信装置から受信された広告情報が表示され、その広告情報の表示時間が検出される。このため、実際に表示された広告情報の表示時間に応じた広告の対価を決定することができる。
【００２１】
好ましくは、広告出力装置は、印刷装置であり、出力量検出手段は、広告情報の印刷枚数を検出する。
【００２２】
この発明に従えば、広告出力装置により、広告配信装置から受信された広告情報が印刷され、その広告情報の印刷枚数が検出される。このため、実際に印刷された広告情報の印刷枚数に応じた広告の対価を決定することができる。
【００２３】
好ましくは、広告出力装置の通信手段は、携帯電話端末または自動車電話端末である。
【００２４】
この発明に従えば、広告出力装置は、既存の携帯電話システムまたは自動車電話システムを活用して広告配信装置と通信を行なう。その結果、通信システムを新たに構築する必要がなく、システム導入コストを削減することができる。
【００２５】
この発明の他の局面によれば、広告配信装置は、広告出力装置と通信可能な装置であって、広告情報を記憶する広告記憶手段と、記憶された広告情報を広告出力装置に送信する広告送信手段と、送信された広告情報が広告出力装置で出力された出力量を広告出力装置から受信する出力量受信手段と、受信された広告情報の出力量に基づき、広告情報の出力の対価を算出する対価算出手段とを備える。
【００２６】
この発明に従えば、記憶された広告情報が広告出力装置に送信され、広告出力装置から受信された広告情報の出力量に基づき、広告情報の出力の対価が算出される。このため、実際に出力された広告情報の出力量に基づき、広告情報の出力の対価が算出される。その結果、広告実績に応じた広告の対価を算出することが可能な広告配信装置を提供することができる。
【００２７】
この発明のさらに他の局面によれば、広告配信方法は、広告情報を記憶する広告記憶手段を有し、広告出力装置と通信可能な広告配信装置で広告を配信する方法であって、記憶された広告情報を広告出力装置に送信するステップと、送信された広告情報が広告出力装置で出力された出力量を広告出力装置から受信するステップと、受信された広告情報の出力量に基づき、広告情報の出力の対価を算出するステップとを含む。
【００２８】
この発明に従えば、広告実績に応じた広告の対価を算出することが可能な広告配信方法を提供することができる。
【００２９】
この発明のさらに他の局面によれば、広告配信プログラムは、広告情報を記憶する広告記憶手段を有し、広告出力装置と通信可能な広告配信装置で実行され、記憶された広告情報を広告出力装置に送信するステップと、送信された広告情報が広告出力装置で出力された出力量を広告出力装置から受信するステップと、受信された広告情報の出力量に基づき、広告情報の出力の対価を算出するステップとを広告配信装置に実行させる。
【００３０】
この発明に従えば、広告実績に応じた広告の対価を算出することが可能な広告配信プログラム、および、広告配信プログラムを記録したコンピュータ読取可能な記録媒体を提供することができる。
【００３１】
【発明の実施の形態】
以下、本発明の実施の形態について図面を参照して説明する。なお、図中同一符号は同一または相当する部材を示し、重複する説明は繰返さない。
【００３２】
［第１の実施の形態］
図１は、本発明の実施の形態の１つにおける広告システムの概略を示す図である。図１を参照して、広告システムは、広告配信装置１００と、バス９００に設置される広告出力装置２００とを含む。また、広告システムは、広告出力装置２００に接続され、広告情報を出力する表示装置３００、あるいは、印刷装置４００を含む。なお、本実施の形態においては、広告出力装置２００が、バス９００や電車などの公共交通機関や自家用自動車などの交通機関の車内または車外に設置される場合について説明するが、広告出力装置２００が設置される場所は、移動体に限定されず、店頭や街頭などに固定的に設置されるようにしてもよい。
【００３３】
広告配信装置１００は、パーソナルコンピュータ（以下、ＰＣ（Ｐｅｒｓｏｎａｌ　Ｃｏｍｐｕｔｅｒ）という）などのコンピュータで構成され、ネットワーク６００、通信事業者サーバ７００、アンテナ８００，８００Ａ、および、携帯通信端末５００を介して、広告出力装置２００に広告情報を送信する。広告情報とは、広告を依頼した店舗などの広告依頼者の広告内容を示すデータである。広告依頼者の依頼に応じて、広告情報は広告配信装置１００に記憶される。また、携帯通信端末５００は、通信事業者による無線電話サービスを利用するための携帯電話端末や自動車電話端末である。
【００３４】
広告出力装置２００は、広告配信装置１００から、ネットワーク６００、通信事業者サーバ７００、アンテナ８００，８００Ａ、および、携帯通信端末５００を介して、広告情報を受信して、受信した広告情報を表示装置３００、あるいは、印刷装置４００に出力する。なお、本実施の形態においては、広告出力装置２００は、広告出力装置の通信部の機能として携帯通信端末５００の機能を利用し、ネットワーク６００、通信事業者サーバ７００、アンテナ８００，８００Ａを介して広告配信装置と通信する場合について説明するが、広告出力装置２００は、専用の通信システムにより、広告配信装置１００と通信するようにしてもよい。
【００３５】
表示装置３００は、液晶、ＣＲＴ（Ｃａｔｈｏｄｅ　Ｒａｙ　Ｔｕｂｅ）、ＦＥＤ（Ｆｉｅｌｄ　Ｅｍｉｓｓｉｏｎ　Ｄｉｓｐｌａｙ）、ＰＤＰ（Ｐｌａｓｍａ　Ｄｉｓｐｌａｙ　Ｐａｎｅｌ）、ドットマトリクス、７セグメント等のＬＥＤ（Ｌｉｇｈｔ　Ｅｍｉｔｔｉｎｇ　Ｄｉｏｄｅ）、ＥＬ（ＥｌｅｃｔｒｏＬｕｍｉｎｅｓｃｅｎｃｅ）、ＶＦＤ（Ｖａｃｕｕｍ　Ｆｌｕｏｒｅｓｃｅｎｔ　Ｄｉｓｐｌａｙ）、ＤＭＤ（Ｄｉｇｉｔａｌ　Ｍｉｃｒｏｍｉｒｒｏｒ　Ｄｅｖｉｃｅ）などの方式の表示装置であり、広告出力装置２００から出力された広告情報を表示する。
【００３６】
印刷装置４００は、レーザープリンタ、ドットプリンタなどのプリンタであり、広告出力装置２００から出力された広告情報を紙に印刷する。
【００３７】
ネットワーク６００は、ＷＡＮ（Ｗｉｄｅ　Ａｒｅａ　Ｎｅｔｗｏｒｋ）およびＬＡＮ（Ｌｏｃａｌ　Ａｒｅａ　Ｎｅｔｗｏｒｋ）などの公衆通信回線網および専用通信回線網などで構成される。本実施の形態においては、ネットワーク６００は、広告配信装置１００と通信事業者サーバ７００とを接続する。
【００３８】
通信事業者サーバ７００は、通信事業者により管理され、携帯通信端末５００とネットワーク６００に接続されたコンピュータとの間で行なわれる通信を中継するコンピュータである。本実施の形態においては、通信事業者サーバ７００は、広告配信装置１００と広告出力装置２００との通信を中継する。
【００３９】
本願発明においては、広告配信装置１００により、広告情報が広告出力装置２００に送信され、広告出力装置２００により、受信された広告情報が表示装置３００あるいは印刷装置４００で出力される。そして、広告出力装置２００により、出力された広告情報の表示時間あるいは印刷枚数などの広告情報の出力量が検出され、広告配信装置１００に送信される。最後に、広告配信装置１００により、受信された出力量に応じて、広告情報の出力の対価が算出される。このようにして算出された広告情報の出力の対価が、広告依頼者である店舗などに請求され、広告出力装置２００の所有者である広告表示者に支払われる。
【００４０】
図２は、本実施の形態における広告配信装置１００の構成の概略を示すブロック図である。図２を参照して、広告配信装置１００は、広告配信装置１００の全体を制御するための制御部１１０と、所定の情報を記憶するための記憶部１３０と、広告配信装置１００に所定の情報を入力するための入力部１４０と、広告配信装置１００から所定の情報を出力するための出力部１５０と、広告配信装置１００をネットワーク７００と接続するための通信部１６０と、記録媒体１７１に必要な情報を記録するための外部記憶装置１７０とを含む。また、制御部１１０と、記憶部１３０と、入力部１４０と、出力部１５０と、通信部１６０と、外部記憶装置１７０とは、バスを介して、互いに接続される。
【００４１】
制御部１１０は、プログラムにしたがって所定の処理を実行するためのＣＰＵ（Ｃｅｎｔｒａｌ　Ｐｒｏｃｅｓｓｉｎｇ　Ｕｎｉｔ）と、制御部１１０でプログラムを実行するために必要な作業領域として用いられるＲＡＭ（Ｒａｎｄｏｍ　Ａｃｃｅｓｓ　Ｍｅｍｏｒｙ）と、制御部１１０で実行するためのプログラムを記憶するためのＲＯＭ（Ｒｅａｄ　Ｏｎｌｙ　Ｍｅｍｏｒｙ）とを含む。
【００４２】
記憶部１３０は、ハードディスクドライブ（ＨＤＤ，Ｈａｒｄ　Ｄｉｓｋ　Ｄｒｉｖｅ）等の磁気ディスク記憶装置である。磁気ディスク記憶装置に代えて、光磁気ディスク記憶装置や、光ディスク記憶装置等を用いることもできる。
【００４３】
入力部１４０は、キーボード、マウス等であり、広告配信装置１００に必要な情報を入力することができる。
【００４４】
出力部１５０は、液晶またはＣＲＴ等のディスプレイであり、広告配信装置１００から必要な情報を出力することができる。
【００４５】
通信部１６０は、広告配信装置１００をネットワーク７００に接続するための通信インターフェイスである。広告配信装置１００は、通信部１６０を介して、ネットワーク６００に接続された他のコンピュータと必要な情報を送受信する。
【００４６】
外部記憶装置１７０は、記録媒体１７１に記録されたプログラムやデータを読込み、制御部１１０に送信する。また、外部記憶装置１７０は、制御部１１０からの指示により、記録媒体１７１に必要な情報を書込む。
【００４７】
コンピュータ読取可能な記録媒体１７１としては、磁気テープ、カセットテープ、フロッピー（Ｒ）ディスク、ハードディスク等の磁気ディスク、ＣＤ−ＲＯＭ（Ｃｏｍｐａｃｔ　Ｄｉｓｋ　Ｒｅａｄ　Ｏｎｌｙ　Ｍｅｍｏｒｙ）、ＤＶＤ（Ｄｉｇｉｔａｌ　Ｖｅｒｓａｔｉｌｅ　Ｄｉｓｋ）等の光ディスク、ＭＯ（Ｍａｇｎｅｔｏ　Ｏｐｔｉｃａｌ　ｄｉｓｋ）、ＭＤ（ＭｉｎｉＤｉｓｃ）等の光磁気ディスク、ＩＣカード、光カード等のメモリカード、あるいは、マスクＲＯＭ，ＥＰＲＯＭ（Ｅｒａｓａｂｌｅ　Ｐｒｏｇｒａｍｍａｂｌｅ　Ｒｅａｄ　Ｏｎｌｙ　Ｍｅｍｏｒｙ）、ＥＥＰＲＯＭ（Ｅｌｅｃｔｒｉｏｎｉｃａｌｌｙ　Ｅｒａｓａｂｌｅ　ａｎｄ　Ｐｒｏｇｒａｍｍａｂｌｅ　Ｒｅａｄ　Ｏｎｌｙ　Ｍｅｍｏｒｙ）、フラッシュＲＯＭ等の半導体メモリを含めた、固定的にプログラムを担持する記録媒体である。
【００４８】
図３は、第１の実施の形態における広告配信装置１００の制御部１１０、記憶部１３０および広告出力装置２００の制御部２１０の機能の概略を示す機能ブロック図である。図３を参照して、広告配信装置１００の制御部１１０は、広告送信部１１１と、出力量受信部１１２と、対価算出部１１３とを含む。また、対価算出部１１３は、支払対価算出部１１３ａと、請求対価算出部１１３ｂとを含む。広告配信装置１００の記憶部１３０は、広告記憶部１３１と、対価記憶部１３２とを含む。
【００４９】
広告記憶部１３１は、広告依頼者の広告情報を記憶する。広告情報は、広告依頼者からの依頼に応じて、広告配信装置１００の管理者により随時追加される。広告情報には、広告の内容を示す広告内容データのほかに、広告情報を一意に識別するための広告ＩＤや広告情報の広告依頼者を示すデータが含まれるようにしてもよい。
【００５０】
広告送信部１１１は、広告記憶部１３１に記憶された広告情報を読出し、広告出力装置２００に送信するよう通信部１６０を制御する。
【００５１】
出力量受信部１１２は、広告送信部１１１により送信された広告情報が広告出力装置２００で出力された出力量を広告出力装置２００から受信するよう通信部１６０を制御する。
【００５２】
対価算出部１１３は、出力量受信部１１２により受信された広告情報の出力量に基づき、広告情報の出力の対価を算出する。具体的には、支払対価算出部１１３ａは、広告情報の表示時間あるいは印刷枚数に基づき、広告出力装置２００の所有者に支払う広告情報の表示あるいは印刷に対する支払対価を算出する。また、請求対価算出部１１３ｂは、広告情報の表示時間あるいは印刷枚数に基づき、広告依頼者に請求する広告情報の表示あるいは印刷に対する請求対価を算出する。
【００５３】
対価記憶部１３２は、対価算出部１１３により算出された支払対価および請求対価を記憶する。支払対価は、広告出力装置２００ごとに、たとえば、広告出力装置ＩＤと対応付けて記憶される。広告出力装置ＩＤは、広告出力装置２００ごとに一意に付与される番号である。また、請求対価は、広告情報ごとに、たとえば、広告ＩＤと対応付けて記憶される。本実施の形態においては、対価算出部１１３により算出された支払対価および請求対価を対価記憶部１３２に記憶する場合について説明するが、算出された支払対価および請求対価は、会計処理用のコンピュータなどの他のコンピュータに送信されるようにしてもよい。
【００５４】
一方、広告出力装置２００は、広告出力装置２００の全体を制御するための制御部２１０と、表示装置３００あるいは印刷装置４００に情報を出力するための出力部２５０と、広告配信装置１００と情報を通信するための通信部２６０とを含む。広告出力装置２００の制御部２１０は、広告受信部２１１と、広告出力部２１２と、出力量検出部２１３と、出力量送信部２１４とを含む。
【００５５】
広告受信部２１１は、広告配信装置１００から送信された広告情報を受信するよう通信部２６０を制御する。
【００５６】
広告出力部２１２は、広告受信部２１１により受信された広告情報を表示装置３００あるいは印刷装置４００に出力するよう出力部２５０を制御する。
【００５７】
出力量検出部２１３は、広告出力部２１２により表示装置３００あるいは印刷装置４００に出力された広告情報の表示時間あるいは印刷枚数などの出力量を検出する。
【００５８】
出力量送信部２１４は、出力量検出部２１３により検出された出力量を広告配信装置１００に送信するよう通信部２６０を制御する。
【００５９】
図４は、第１の実施の形態における広告配信装置１００の広告記憶部１３１に記憶される広告情報データベース（以下、広告情報Ｄ／Ｂという）の一例を示す図である。図４を参照して、広告記憶部１３１に記憶される広告情報Ｄ／Ｂは、広告ＩＤの項目と、広告内容の項目と、広告依頼者の項目とよりなるデータを記憶する。広告ＩＤの項目として記憶されるデータは、広告情報に対して一意に付与される番号である。広告内容の項目として記憶されるデータは、広告内容を示すデータであってもよいし、広告内容を示すデータのポインタを示すデータであってもよい。たとえば、広告ＩＤの項目が「０００１」の広告情報については、広告内容の項目が「Ａ１」であり、広告依頼者の項目が「Ｘ社」である。このように、広告記憶部１３１に記憶される広告情報Ｄ／Ｂにおいては、広告ＩＤの項目が定まれば、１つの広告情報が定まることになる。
【００６０】
図５は、第１の実施の形態における広告配信装置１００の対価記憶部１３２に記憶される支払対価データベース（以下、支払対価Ｄ／Ｂという）の一例を示す図である。図５を参照して、支払対価Ｄ／Ｂは、広告出力装置ＩＤの項目と、支払対価の項目とよりなるデータを記憶する。広告出力装置ＩＤの項目として記憶されるデータは、広告出力装置２００に対して一意に付与される番号である。また、支払対価の項目として記憶されるデータは、支払対価算出部１１３ａで算出された支払対価が積算されたデータである。たとえば、広告出力装置ＩＤの項目が「０１」の支払対価データについては、支払対価の項目が「１０，０００円」である。このように、支払対価Ｄ／Ｂにおいては、広告出力装置ＩＤの項目が定まれば、１つの支払対価データが定まることになる。
【００６１】
図６は、第１の実施の形態における広告配信装置１００の対価記憶部１３２に記憶される請求対価データベース（以下、請求対価Ｄ／Ｂという）の一例を示す図である。図６を参照して、支払対価Ｄ／Ｂは、広告ＩＤの項目と、請求対価の項目とよりなるデータを記憶する。広告ＩＤの項目として記憶されるデータは、広告情報Ｄ／Ｂに記憶される広告ＩＤの項目のデータに対応する。また、請求対価の項目として記憶されるデータは、請求対価算出部１１３ｂで算出された請求対価が積算されたデータである。たとえば、広告ＩＤの項目が「０００１」の請求対価データについては、請求対価の項目が「１０，０００円」である。このように、請求対価Ｄ／Ｂにおいては、広告ＩＤの項目が定まれば、１つの請求対価データが定まることになる。
【００６２】
図７は、第１の実施の形態における広告配信装置１００および広告出力装置２００で実行される処理の流れを示すフローチャートである。図７を参照して、広告配信装置１００において、まず、ステップＳ１１０で、広告情報を広告出力装置２００に送信する広告送信処理が実行される。
【００６３】
そして、広告出力装置２００において、ステップＳ２１０で、広告配信装置１００から送信された広告情報を受信する広告受信処理が実行される。次に、ステップＳ２２０で、広告情報の出力量を広告配信装置１００に送信する広告出力処理が実行される。
【００６４】
最後に、広告配信装置１００において、ステップＳ１２０で、広告情報の出力量に応じた広告情報の出力の対価を算出する対価算出処理が実行される。
【００６５】
広告送信処理および広告受信処理については、図８で説明する。また、広告出力処理および対価算出処理については、図９で説明する。
【００６６】
図８は、第１の実施の形態における広告配信装置１００で実行される広告送信処理および広告出力装置２００で実行される広告受信処理の流れを示すフローチャートである。広告送信処理は、図７で説明した広告配信装置１００で実行される処理のメインルーチンのサブルーチンとして実行される。また、広告受信処理は、図７で説明した広告出力装置２００で実行される処理のメインルーチンのサブルーチンとして実行される。
【００６７】
図８を参照して、まず、広告配信装置１００において、ステップＳ１１１で、広告送信部１１１により、広告記憶部１３１に記憶された広告情報のうち、広告出力装置２００に送信すべき広告情報があるか否かが判断される。送信すべき広告情報としては、広告記憶部１３１に記憶されたすべての広告情報であってもよいし、予め広告出力装置２００に送信すべき広告情報として定められた広告情報であってもよいし、広告する日時が予め定められた広告情報であって、その定められた日時に送信される広告情報であってもよい。また、広告情報には、広告内容データのほか、広告ＩＤや広告依頼者データが含まれる。ステップＳ１１１で、広告出力装置２００に送信すべき広告情報があると判断された場合、ステップＳ１１２で、広告送信部１１１により、その広告情報が広告記憶部１３１から読出され、広告出力装置２００に送信される。その後、広告送信処理が終了し、メインルーチンに戻る。一方、ステップＳ１１１で、広告出力装置２００に送信すべき広告情報がないと判断された場合は、広告送信処理が終了し、メインルーチンに戻る。
【００６８】
次に、広告出力装置２００において、ステップＳ２１１で、広告受信部２１１により、広告配信装置１００から広告情報が着信したか否かが判断される。ステップＳ２１１で、広告情報が着信したと判断された場合は、ステップＳ２１２で、広告受信部２１１により、その広告情報が広告配信装置１００から受信され、ステップＳ２１３で、ステップＳ２１２で受信された広告情報が制御部２１０のＲＡＭに記憶される。このときに、制御部２１０のＲＡＭに記憶されていた広告情報が消去されてから、受信された広告情報が記憶される。その後、広告受信処理が終了し、メインルーチンに戻る。一方、ステップＳ２１１で、広告情報が着信していないと判断された場合は、広告受信処理が終了し、メインルーチンに戻る。
【００６９】
図９は、第１の実施の形態における広告配信装置１００で実行される対価算出処理および広告出力装置２００で実行される広告出力処理の流れを示すフローチャートである。対価算出処理は、図７で説明した広告配信装置１００で実行される処理のメインルーチンのサブルーチンとして実行される。また、広告出力処理は、図７で説明した広告出力装置２００で実行される処理のメインルーチンのサブルーチンとして実行される。
【００７０】
図９を参照して、まず、広告出力装置２００において、ステップＳ２２１で、広告出力部２１２により、広告情報が出力中であるか否かが判断される。ステップＳ２２１で、広告情報が出力中でないと判断された場合は、ステップＳ２２５に進む。一方、ステップＳ２２１で、広告情報が出力中であると判断された場合は、ステップＳ２２２で、広告出力部２１２により、出力中の広告情報の出力時間が所定時間経過したか否かが判断される。出力時間は、制御部２１０の出力時間計測用タイマによって計測される。また、所定時間は、予め定められた時間（たとえば、１分間）であり、制御部２１０のＲＯＭに記憶される。ステップＳ２２２で、出力中の広告情報の出力時間が所定時間経過していないと判断された場合は、広告出力処理が終了し、メインルーチンに戻る。一方、ステップＳ２２２で、出力中の広告情報の出力時間が所定時間経過したと判断された場合は、ステップＳ２２３で、出力量検出部２１３により、その広告情報が出力された出力時間が検出され、ステップＳ２２４で、出力量送信部２１４により、検出された出力時間が、広告出力装置２００の広告出力装置ＩＤおよび広告情報に含まれる広告ＩＤとともに、広告配信装置１００に送信される。このときに、出力時間計測用のタイマが０にリセットされる。
【００７１】
そして、ステップＳ２２５で、ステップＳ２１２で制御部２１０のＲＡＭに記憶された、出力中の広告情報の次に表示される広告情報があるか否かが判断される。ステップＳ２２５で、次の広告情報があると判断された場合は、ステップＳ２２６で、広告出力部２１２により、次の広告情報が制御部２１０のＲＡＭから読出され、表示装置３００に出力される。制御部２１０のＲＡＭに記憶された広告情報が複数ある場合であって、記憶された広告情報が受信された順番に出力され、一巡した場合は、再度、一番前に受信された広告情報から順番に出力される。また、ステップＳ２２６で、広告情報が出力されるときに、出力時間計測用タイマによる広告情報の出力時間の計測が開始される。その後、広告出力処理が終了し、メインルーチンに戻る。一方、ステップＳ２２５で、次の広告情報がないと判断された場合は、出力中の広告情報は、継続して出力され、広告出力処理が終了し、メインルーチンに戻る。ここで、ステップＳ２２２，Ｓ２２５，Ｓ２２６の処理が実行されることにより、広告受信処理により受信され制御部２１０のＲＡＭに記憶された広告情報が複数ある場合は、それらの広告情報が所定の時間間隔で表示されることとなる。
【００７２】
また、広告配信装置１００において、ステップＳ１２１で、出力量受信部１１２により、広告情報の出力量が広告出力装置２００から受信されたか否かが判断される。ステップＳ１２１で、広告情報の出力量が受信されていないと判断された場合は、対価算出処理が終了し、メインルーチンに戻る。一方、ステップＳ１２１で、広告情報の出力量が受信されたと判断された場合は、ステップＳ１２２で、出力量受信部１１２により、広告情報の出力量が、広告出力装置ＩＤおよび広告ＩＤとともに、広告出力装置２００から受信される。
【００７３】
次に、ステップＳ１２３で、支払対価算出部１１３ａにより、ステップＳ１２２で受信された広告情報の出力量に基づき、広告出力装置２００の所有者に支払われる広告情報の出力の対価が算出され、算出された対価と受信された広告出力装置ＩＤとが対応付けられて対価記憶部１３２に記憶される。具体的には、広告情報の出力量に、単位出力量当りの広告情報の出力の単価が掛けられて、広告情報の出力の対価が算出され、広告出力装置ＩＤに対応付けられて支払対価Ｄ／Ｂに記憶された支払対価の項目のデータに算出された対価が積算される。これにより、広告出力装置２００ごとに出力量に応じた広告情報の出力の対価を算出し、記憶することができる。
【００７４】
また、ステップＳ１２４で、請求対価算出部１１３ｂにより、ステップＳ１２２で受信された広告情報の出力量に基づき、その広告情報の広告依頼者に請求される広告情報の出力の対価が算出され、算出された対価と受信された広告ＩＤとが対応付けられて対価記憶部１３２に記憶される。具体的には、広告情報の出力量に、単位出力量当りの広告情報の出力の単価が掛けられて、広告情報の出力の対価が算出され、広告ＩＤに対応付けられて請求対価Ｄ／Ｂに記憶された請求対価の項目のデータに算出された対価が積算される。これにより、広告情報ごとに出力量に応じた広告情報の出力の対価を算出し、記憶することができる。その後、対価算出処理が終了し、メインルーチンに戻る。以上の処理により、広告配信装置１００の管理者は、記憶された支払対価および請求対価に基づき、所定期間（たとえば、１月）ごとに、広告出力装置２００の所有者に広告情報の出力の対価を支払い、広告依頼者に広告情報の出力の対価を請求することができる。
【００７５】
図９で説明した広告出力処理においては、広告情報を表示装置３００で出力し、その表示時間を出力量として検出する場合について説明したが、広告情報を印刷装置４００で出力し、その印刷枚数を出力量として検出するようにしてもよい。印刷枚数を検出する場合は、出力量の検出には、タイマの代わりにカウンタが用いられる。
【００７６】
以上説明したように、第１の実施の形態における広告システムにおいては、広告出力装置２００により、広告配信装置１００から受信された広告情報が出力され、出力された広告情報の出力量が検出されて、広告配信装置１００に送信される。そして、広告配信装置１００により、広告出力装置２００から受信された広告情報の出力量に基づき、広告情報の出力の対価が算出される。このため、実際に出力された広告情報の出力量に基づき、広告情報の出力の対価が決定される。その結果、広告実績に応じた広告の対価を算出することが可能な広告システムを提供することができる。
【００７７】
また、第１の実施の形態における広告システムにおいては、複数の広告出力装置２００から受信された広告情報の出力量に基づき、広告情報の出力の対価が広告出力装置２００ごとに算出される。その結果、広告出力装置２００ごとに出力量に応じた広告の対価を算出することができる。
【００７８】
また、第１の実施の形態における広告システムにおいては、広告出力装置２００により、受信された広告情報が複数ある場合は、それらの広告情報が所定の時間間隔で出力される。そして、広告配信装置１００により、広告情報の出力量に基づき、広告情報の出力の対価が広告情報ごとに算出される。その結果、受信された広告情報が複数であっても、広告情報が順次出力され、広告情報ごとに出力量に応じた広告の対価を算出することができる。
【００７９】
また、第１の実施の形態における広告システムにおいては、広告出力装置２００により、広告配信装置１００から受信された広告情報が表示され、その広告情報の表示時間が検出される。このため、実際に表示された広告情報の表示時間に応じた広告の対価を決定することができる。
【００８０】
また、第１の実施の形態における広告システムにおいては、広告出力装置２００により、広告配信装置１００から受信された広告情報が印刷され、その広告情報の印刷枚数が検出される。このため、実際に印刷された広告情報の印刷枚数に応じた広告の対価を決定することができる。
【００８１】
また、第１の実施の形態における広告システムにおいては、広告出力装置２００は、既存の携帯電話システムまたは自動車電話システムを活用して広告配信装置１００と通信を行なう。その結果、通信システムを新たに構築する必要がなく、システム導入コストを削減することができる。
【００８２】
なお、第１の実施の形態においては、広告システムで行なわれる処理について説明したが、図７〜図９に示した処理を実行する広告配信方法、および、図７〜図９に示した処理をコンピュータに実行させるための広告配信プログラムとして発明を捕らえることができる。
【００８３】
［第２の実施の形態］
第１の実施の形態においては、広告配信装置１００は、広告出力装置２００の位置に関係なく広告記憶部１３１に記憶された広告情報を送信するようにした。
【００８４】
第２の実施の形態においては、広告配信装置１００Ａは、広告出力装置２００Ａが設置されている移動体の位置に応じて、広告情報を送信する場合について説明する。
【００８５】
図１０は、第２の実施の形態における広告配信装置１００Ａの制御部１１０Ａ、記憶部１３０Ａおよび広告出力装置２００Ａの制御部２１０Ａの機能の概略を示す機能ブロック図である。第２の実施の形態においては、広告出力装置２００Ａは、移動体に設置される。図１０を参照して、広告出力装置２００Ａの制御部２１０Ａは、位置情報取得部２１５と、位置情報送信部２１６と、広告受信部２１１と、広告出力部２１２と、出力量検出部２１３と、出力量送信部２１４とを含む。広告出力装置２００Ａの広告受信部２１１と、広告出力部２１２と、出力量検出部２１３と、出力量送信部２１４とについては、図３で説明したので説明は繰返さない。
【００８６】
位置情報取得部２１５は、広告出力装置２００Ａの位置情報を取得する。つまり、広告出力装置２００Ａは移動体に設置されるので、位置情報取得部２１５は、移動体の位置情報を取得することになる。位置情報取得部２１５は、ＧＰＳ機能付携帯電話システム、ＰＨＳ（Ｐｅｒｓｏｎａｌ　Ｈａｎｄｙｐｈｏｎｅ　Ｓｙｓｔｅｍ）、あるいは、カーナビゲーションシステムの位置取得機能を利用して位置情報を取得するようにしてもよい。
【００８７】
位置情報送信部２１６は、位置情報取得部２１５で取得された位置情報を広告配信装置１００Ａに送信するよう通信部２６０を制御する。
【００８８】
一方、広告配信装置１００Ａの制御部１１０Ａは、位置情報受信部１１４と、広告抽出部１１５と、広告送信部１１１Ａと、出力量受信部１１２と、対価算出部１１３とを含む。広告配信装置１００Ａの記憶部１３０Ａは、広告記憶部１３１Ａと、対価記憶部１３２とを含む。出力量受信部１１２と、対価算出部１１３と、対価記憶部１３２とについては、図３で説明したので説明は繰返さない。
【００８９】
位置情報受信部１１４は、広告出力装置２００Ａの位置情報を広告出力装置２００Ａから受信するよう通信部１６０を制御する。
【００９０】
広告記憶部１３１Ａは、広告情報に加えて、その広告情報を出力する広告出力範囲をさらに記憶する。
【００９１】
広告抽出部１１５は、位置情報受信部１１４により受信された位置情報を広告出力範囲とする広告情報を広告記憶部１３１Ａから抽出する。
【００９２】
広告送信部１１１Ａは、広告抽出部１１５により抽出された広告情報を広告出力装置２００Ａに送信するよう通信部１６０を制御する。
【００９３】
図１１は、第２の実施の形態における広告配信装置１００の広告記憶部１３１Ａに記憶される広告情報Ｄ／Ｂの一例を示す図である。図１１を参照して、広告記憶部１３１Ａに記憶される広告情報Ｄ／Ｂは、図４で説明した項目に加えて、広告出力範囲の項目よりなるデータをさらに記憶する。広告出力範囲の項目として記憶されるデータは、その広告情報を出力する範囲を示すデータである。たとえば、広告ＩＤの項目が「０００１」の広告情報については、広告出力範囲の項目が「範囲ａ」である。広告出力範囲の項目として記憶されるデータ、たとえば、「範囲ａ」は、たとえば、予め地図上で区分けされたブロック（たとえば、○○市，××町などの住居区分）により示される範囲であってもよいし、広告依頼者の店舗から所定距離の半径内の範囲であってもよい。このように、広告記憶部１３１Ａに記憶される広告情報Ｄ／Ｂにおいては、広告ＩＤの項目が定まれば、１つの広告情報とその広告出力範囲とが定まることになる。
【００９４】
図１２は、第２の実施の形態における広告配信装置１００Ａおよび広告出力装置２００Ａで実行される処理の流れを示すフローチャートである。図１２を参照して、広告配信装置１００Ａにおいて、まず、ステップＳ１５０で、広告出力装置２００Ａの位置情報が受信され、受信された位置情報を広告出力範囲とする広告情報を広告出力装置２００Ａに送信する広告送信処理が実行される。
【００９５】
そして、広告出力装置２００Ａにおいて、ステップＳ２５０で、広告出力装置の位置情報が広告配信装置１００Ａに送信され、その位置情報を出力範囲とする広告情報を広告配信装置１００Ａから受信する広告受信処理が実行される。次に、ステップＳ２６０で、広告情報の出力量を広告配信装置１００に送信する広告出力処理が実行される。
【００９６】
最後に、広告配信装置１００Ａにおいて、ステップＳ１６０で、広告情報の出力量に応じた広告情報の出力の対価を算出する対価算出処理が実行される。
【００９７】
第２の実施の形態における、広告出力処理および対価算出処理については、図９で説明した広告出力処理および対価算出処理と同様であるので、説明は繰返さない。
【００９８】
図１３は、第２の実施の形態における広告配信装置１００Ａで実行される広告送信処理および広告出力装置２００Ａで実行される広告受信処理の流れを示すフローチャートである。広告送信処理は、図１２で説明した広告配信装置１００Ａで実行される処理のメインルーチンのサブルーチンとして実行される。また、広告受信処理は、図１２で説明した広告出力装置２００Ａで実行される処理のメインルーチンのサブルーチンとして実行される。
【００９９】
図１３を参照して、まず、広告出力装置２００Ａにおいて、ステップＳ２５１で、位置情報取得部２１５により、広告出力装置２００Ａの位置情報が取得され、ステップＳ２５２で、位置情報送信部２１６により、取得された位置情報が広告配信装置１００Ａに送信される。
【０１００】
そして、広告配信装置１００Ａにおいて、ステップＳ１５１で、位置情報受信部１１４により、広告出力装置２００Ａの位置情報が着信したか否かが判断される。ステップＳ１５１で、位置情報が着信していないと判断された場合は、広告送信処理が終了し、メインルーチンに戻る。一方、ステップＳ１５１で、位置情報が着信したと判断された場合は、ステップＳ１５２で、位置情報受信部１１４により、広告出力装置２００Ａの位置情報が受信され、ステップＳ１５３で、広告抽出部１１５により、受信された位置情報を広告出力範囲とする広告情報が広告記憶部１３１Ａから抽出される。次に、ステップＳ１５４で、広告送信部１１１Ａにより、ステップＳ１５３で抽出された広告情報が広告出力装置２００Ａに送信される。
【０１０１】
また、広告出力装置２００Ａにおいて実行される広告受信処理のステップＳ２５３〜Ｓ２５５は、図８で説明した広告受信処理のステップＳ２１１〜Ｓ２１３と同様であるので説明は繰返さない。
【０１０２】
このように、広告配信装置１００Ａは、広告出力装置２００Ａで出力するために、広告出力装置２００Ａの位置情報を広告出力範囲とする広告情報を広告出力装置１００Ａに送信することができる。その結果、広告出力装置２００Ａは、広告配信装置１００Ａから受信したその広告情報を出力することができる。
【０１０３】
以上説明したように、第２の実施の形態における広告システムにおいては、広告配信装置１００Ａにより、広告出力装置２００Ａから受信された位置情報を広告出力範囲とする広告情報が抽出され、広告出力装置２００Ａに送信される。このため、移動体が広告出力範囲にあるときに、その位置情報を広告出力範囲とする広告情報が広告出力装置から出力されるので、タイムリーに広告を出力することができる。
【０１０４】
なお、第２の実施の形態においては、広告システムで行なわれる処理について説明したが、図１２，図１３に示した処理を実行する広告配信方法、および、図１２，図１３に示した処理をコンピュータに実行させるための広告配信プログラムとして発明を捕らえることができる。
【０１０５】
［第３の実施の形態］
第２の実施の形態においては、広告出力装置２００Ａは、広告出力装置２００Ａの位置情報に応じた広告情報を広告配信装置１００Ａから受信して、出力するようにした。
【０１０６】
第３の実施の形態においては、広告出力装置２００Ｂは、広告出力装置２００Ｂの位置情報に応じた広告情報を広告配信装置１００Ａから受信して、広告出力装置２００Ｂの位置情報が受信された広告情報の広告出力範囲にある間、その広告情報を出力する場合について説明する。
【０１０７】
図１４は、第３の実施の形態における広告配信装置１００Ｂの制御部１１０Ｂ記憶部１３０Ａおよび広告出力装置２００Ｂの制御部２１０Ｂの機能の概略を示す機能ブロック図である。図１４を参照して、広告配信装置１００Ｂの制御部１１０Ｂは、位置情報受信部１１４と、広告抽出部１１５Ａと、広告送信部１１１Ｂと、出力量受信部１１２と、対価算出部１１３とを含む。広告配信装置１００Ａの記憶部１３０Ａは、広告記憶部１３１Ａと、対価記憶部１３２とを含む。位置情報受信部１１４と、出力量受信部１１２と、対価算出部１１３と、広告記憶部１３１Ａと、対価記憶部１３２とについては、図３および図１０で説明したので説明は繰返さない。
【０１０８】
広告抽出部１１５Ａは、位置情報受信部１１４で受信された位置情報を広告出力範囲とする広告情報と広告出力範囲とを広告記憶部１３１Ａから抽出する。
【０１０９】
広告送信部１１１Ｂは、広告抽出部１１５Ａで抽出された広告情報と広告出力範囲とを広告出力装置２００Ｂに送信するよう通信部１６０を制御する。
【０１１０】
一方、広告出力装置２００Ｂの制御部２１０Ｂは、位置情報取得部２１５と、位置情報送信部２１６と、広告受信部２１１Ａと、広告出力部２１２Ａと、出力量検出部２１３と、出力量送信部２１４とを含む。位置情報取得部２１５と、位置情報送信部２１６と、広告量検出部２１３と、出力量送信部２１４とについては、図３および図１０で説明したので説明は繰返さない。
【０１１１】
広告受信部２１１Ａは、広告配信装置１００Ｂから送信された広告情報と広告出力範囲とを受信するよう通信部２６０を制御する。
【０１１２】
広告出力部２１２Ａは、位置情報取得部２１５で取得された位置情報が、広告受信部２１１Ａで受信された広告出力範囲にある間、広告受信部２１１Ａで受信された広告情報を出力する。
【０１１３】
第３の実施の形態における広告配信装置１００Ｂおよび広告出力装置２００Ｂで実行されるメインルーチンは、図１２で説明した広告配信装置１００Ａおよび広告出力装置２００Ｂで説明した処理のメインルーチンと同様であるので説明は繰返さない。
【０１１４】
第３の実施の形態における広告配信装置１００Ｂで実行される広告送信処理は、図１３で説明した第２の実施の形態における広告配信装置１００Ａで実行される広告送信処理のステップＳ１５３で、受信された位置情報を広告出力範囲とする広告情報に加えて、その広告情報に対応する広告出力範囲がさらに抽出されるようにし、また、ステップＳ１５４で、ステップＳ１５３で抽出された広告情報に加えて抽出された広告出力範囲が広告出力装置２００Ｂにさらに送信されるようにした処理である。
【０１１５】
第３の実施の形態における広告出力装置２００Ｂで実行される広告受信処理は、図８で説明した第１の実施の形態における広告出力装置２００で実行される広告受信処理のステップＳ２１２で、広告配信装置１００Ｂから、広告情報に加えて、広告出力範囲がさらに受信されるようにした処理である。
【０１１６】
図１５は、第３の実施の形態における広告配信装置１００Ｂで実行される対価算出処理および広告出力装置２００Ｂで実行される広告出力処理の流れを示すフローチャートである。対価算出処理は、広告配信装置１００Ｂで実行される処理のメインルーチンのサブルーチンとして実行される。広告出力処理は、広告出力装置２００Ｂで実行される処理のメインルーチンのサブルーチンとして実行される。
【０１１７】
図１５を参照して、まず、広告出力装置２００Ｂにおいて、ステップＳ２６１で、広告出力部２１２Ａにより、広告情報が出力中であるか否かが判断される。ステップＳ２６１で、広告情報が出力中でないと判断された場合は、ステップＳ２６８に進む。一方、ステップＳ２６１で、広告情報が出力中であると判断された場合は、ステップＳ２６２で、位置情報取得部２１５により、広告出力装置２００Ｂの位置情報が取得され、ステップＳ２６３で、広告出力部２１２Ａにより、ステップＳ２６２で取得された広告出力装置２００Ｂの位置情報が、出力中の広告情報の広告出力範囲にあるか否かが判断される。ステップＳ２６３で、広告出力装置２００Ｂの位置情報が出力中の広告情報の広告出力範囲にないと判断された場合は、ステップＳ２６４で、広告出力部２１２Ａにより、広告情報の出力が停止され、ステップＳ２６６に進む。これにより、広告出力装置２００Ｂが出力中の広告情報の広告出力範囲にある間、広告情報を出力することができる。
【０１１８】
一方、ステップＳ２６３で、広告出力装置２００Ｂの位置情報が出力中の広告情報の広告出力範囲にあると判断された場合は、ステップＳ２６５で、広告出力部２１２Ａにより、出力中の広告情報の出力時間が所定時間経過したか否かが判断される。出力時間は、制御部２１０の出力時間計測用タイマによって計測される。また、所定時間は、予め定められた時間（たとえば、１分間）であり、制御部２１０のＲＯＭに記憶される。ステップＳ２６５で、出力中の広告情報の出力時間が所定時間経過していないと判断された場合は、広告出力処理が終了し、メインルーチンに戻る。一方、ステップＳ２６５で、出力中の広告情報の出力時間が所定時間経過したと判断された場合は、ステップＳ２６６で、出力量検出部２１３により、その広告情報が出力された出力時間が検出され、ステップＳ２６７で、出力量送信部２１４により、検出された出力時間が、広告出力装置２００Ｂの広告出力装置ＩＤおよび広告情報に含まれる広告ＩＤとともに、広告配信装置１００Ｂに送信される。このときに、出力時間計測用タイマで計測されている出力時間が０にリセットされる。
【０１１９】
そして、ステップＳ２６８で、広告受信処理で制御部２１０ＢのＲＡＭに記憶された、出力中の広告情報の次に表示される広告情報があるか否かが判断される。ステップＳ２６８で、次の広告情報があると判断された場合は、ステップＳ２６９で、広告出力部２１２Ａにより、次の広告情報が制御部２１０ＢのＲＡＭから読出され、表示装置３００に出力される。また、ステップＳ２６９で、広告情報が出力されるときに、出力時間計測用タイマによる広告情報の出力時間の計測が開始される。その後、広告出力処理が終了し、メインルーチンに戻る。一方、ステップＳ２６８で、次の広告情報がないと判断された場合は、広告出力処理が終了し、メインルーチンに戻る。
【０１２０】
また、広告配信装置１００Ｂにおいて、ステップＳ１６１〜Ｓ１６４で行なわれる処理は、図９で説明したステップＳ１２１〜Ｓ１２４で行なわれる処理と同様であるので説明は繰返さない。
【０１２１】
図１５で説明した広告出力処理においては、広告情報を表示装置３００で出力し、その表示時間を出力量として検出する場合について説明したが、広告情報を印刷装置４００で出力し、その印刷枚数を出力量として検出するようにしてもよい。
【０１２２】
以上説明したように、第３の実施の形態における広告システムにおいては、広告配信装置１００Ｂにより、広告出力装置２００Ｂから受信された位置情報を広告出力範囲とする広告情報と広告出力範囲とが抽出され、広告出力装置２００Ｂに送信される。そして、広告出力装置２００Ｂにより、取得された位置情報が広告配信装置１００Ｂから受信された広告出力範囲にある間、広告情報が出力される。このため、移動体が広告出力範囲にある間、広告情報が広告出力装置２００Ｂから出力されるので、タイムリーに広告を出力することができる。
【０１２３】
なお、第３の実施の形態においては、広告システムで行なわれる処理について説明したが、図１５に示した処理を実行する広告配信方法、および、図１５に示した処理をコンピュータに実行させるための広告配信プログラムとして発明を捕らえることができる。
【０１２４】
今回開示された実施の形態はすべての点で例示であって、制限的なものではないと考えられるべきである。本発明の範囲は上記した説明ではなくて特許請求の範囲によって示され、特許請求の範囲と均等の意味および、範囲内でのすべての変更が含まれることが意図される。
【図面の簡単な説明】
【図１】本発明の実施の形態の１つにおける広告システムの概略を示す図である。
【図２】本実施の形態における広告配信装置の構成の概略を示すブロック図である。
【図３】第１の実施の形態における広告配信装置の制御部、記憶部および広告出力装置の制御部の機能の概略を示す機能ブロック図である。
【図４】第１の実施の形態における広告配信装置の広告記憶部に記憶される広告情報Ｄ／Ｂの一例を示す図である。
【図５】第１の実施の形態における広告配信装置の対価記憶部に記憶される支払対価Ｄ／Ｂの一例を示す図である。
【図６】第１の実施の形態における広告配信装置の対価記憶部に記憶される請求対価Ｄ／Ｂの一例を示す図である。
【図７】第１の実施の形態における広告配信装置および広告出力装置で実行される処理の流れを示すフローチャートである。
【図８】第１の実施の形態における広告配信装置で実行される広告送信処理および広告出力装置で実行される広告受信処理の流れを示すフローチャートである。
【図９】第１の実施の形態における広告配信装置で実行される対価算出処理および広告出力装置で実行される広告出力処理の流れを示すフローチャートである。
【図１０】第２の実施の形態における広告配信装置の制御部、記憶部および広告出力装置の制御部の機能の概略を示す機能ブロック図である。
【図１１】第２の実施の形態における広告配信装置の広告記憶部に記憶される広告情報Ｄ／Ｂの一例を示す図である。
【図１２】第２の実施の形態における広告配信装置および広告出力装置で実行される処理の流れを示すフローチャートである。
【図１３】第２の実施の形態における広告配信装置で実行される広告送信処理および広告出力装置で実行される広告受信処理の流れを示すフローチャートである。
【図１４】第３の実施の形態における広告配信装置の制御部、記憶部および広告出力装置の制御部の機能の概略を示す機能ブロック図である。
【図１５】第３の実施の形態における広告配信装置で実行される対価算出処理および広告出力装置で実行される広告出力処理の流れを示すフローチャートである。
【符号の説明】
１００，１００Ａ，１００Ｂ　広告配信装置、１１０，１１０Ａ，１１０Ｂ　制御部、１１１，１１１Ａ，１１１Ｂ　広告送信部、１１２　出力量受信部、１１３　対価算出部、１１３ａ　支払対価算出部、１１３ｂ　請求対価算出部、１１４　位置情報受信部、１１５，１１５Ａ　広告抽出部、１３０　記憶部、１３１，１３１Ａ　広告記憶部、１３２　対価記憶部、１４０　入力部、１５０　出力部、１６０　通信部、１７０　外部記憶装置、１７１　記録媒体、２００，２００Ａ，２００Ｂ　広告出力装置、２１０，２１０Ａ，２１０Ｂ　制御部、２１１，２１１Ａ　広告受信部、２１２，２１２Ａ　広告出力部、２１３　出力量検出部、２１４　出力量送信部、２１５　位置情報取得部、２１６　位置情報送信部、２５０　出力部、２６０　通信部、３００　表示装置、４００　印刷装置、５００　携帯通信端末、６００　ネットワーク、７００　通信事業者サーバ、８００　アンテナ、９００　バス。
【図１】
2004118536.tif 000003
【図２】
2004118536.tif 000004
【図３】
2004118536.tif 000005
【図４】
2004118536.tif 000006
【図５】
2004118536.tif 000007
【図６】
2004118536.tif 000008
【図７】
2004118536.tif 000009
【図８】
2004118536.tif 000010
【図９】
2004118536.tif 000011
【図１０】
2004118536.tif 000012
【図１１】
2004118536.tif 000013
【図１２】
2004118536.tif 000014
【図１３】
2004118536.tif 000015
【図１４】
2004118536.tif 000016
【図１５】
2004118536.tif 000017